【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
光軸に沿って物体側から順に、
負の屈折力を有する第１レンズ群と、
正の屈折力を有する第２レンズ群と、
正の屈折力を有する第３レンズ群とを有し、
全系の最大像高をＹmaxとし、全系の望遠端状態における焦点距離をｆtとし、前記第１レンズ群の焦点距離をｆ１としたとき、次式
０．６  ＜  Ｙmax×ｆt／ｆ１2  ＜  １．０
の条件を満足するズームレンズ。
【請求項２】
前記第１レンズ群は、光軸に沿って物体側から順に、少なくとも１枚の負メニスカスレンズと、１枚の正レンズとを有する請求項１に記載のズームレンズ。
【請求項３】
前記第２レンズ群に含まれるすべての負レンズの材質のｄ線に対する屈折率の平均値をN２navとし、全系の広角端状態における半画角をωwとし、全系の広角端状態における全長をＴＬwとし、全系の望遠端状態における焦点距離をｆtとしたとき、次式
０．４７  ＜  （Ｎ２nav−０．８）ｆt・ｔａｎωw／ＴＬw  ＜  ０．９５
の条件を満足する請求項１また２に記載のズームレンズ。
【請求項４】
望遠端状態における前記第１レンズ群の最も像側のレンズ面と前記第２レンズ群の最も物体側のレンズ面との光軸上における間隔をＬ１２tとし、全系の望遠端状態における焦点距離をｆtとし、前記第１レンズ群の焦点距離をｆ１としたとき、次式
０．３  ＜  ｆt×Ｌ１２t／｜ｆ１｜  ＜  ２．０
の条件を満足する請求項１〜３いずれか一項に記載のズームレンズ。
【請求項５】
前記第２レンズ群に含まれる負レンズの材質のｄ線に対する屈折率のうち、最も大きい屈折率をＮｎとし、前記第２レンズ群に含まれる正レンズの材質のｄ線に対する屈折率のうち、最も小さい屈折率をＮｐとしたとき、次式
０．３６  ＜  Ｎｎ−Ｎｐ  ＜  ０．８０
の条件を満足する請求項１〜４いずれか一項に記載のズームレンズ。
【請求項６】
前記第２レンズ群に含まれる負レンズの材質のｄ線に対する屈折率のうち、最も大きい屈折率をＮｎとし、前記第２レンズ群に含まれる負レンズの材質のｄ線に対する屈折率のうち、最も大きい屈折率を有するレンズの材質のアッベ数をνｎとしたとき、次式
３．０  ＜  Ｎｎ＋０．０５×νｎ
の条件を満足する請求項１〜５いずれか一項に記載のズームレンズ。
【請求項７】
前記第２レンズ群は、Ｆナンバー決定部材と、当該Ｆナンバー決定部材より物体側に、少なくとも１枚の正レンズとを有する請求項１〜６いずれか一項に記載のズームレンズ。
【請求項８】
前記第２レンズ群は、光軸に沿って物体側から順に、２枚の正レンズと、１枚の負レンズとを有する請求項１〜７いずれか一項に記載のズームレンズ。
【請求項９】
前記第１レンズ群は、光軸に沿って物体側から順に、少なくとも１枚の負メニスカスレンズと、１枚の正レンズとを有し、
前記負メニスカスレンズは、前記第１レンズ群の最も物体側に配置されている請求項１〜８いずれか一項に記載のズームレンズ。
【請求項１０】
前記負メニスカスレンズのレンズ面のうち、少なくとも像側のレンズ面は非球面形状に形成されている請求項９に記載のズームレンズ。
【請求項１１】
広角端状態から望遠端状態までレンズ位置状態が変化する際に、前記第１レンズ群と前記第２レンズ群との間隔が減少し、前記第２レンズ群と前記第３レンズ群との間隔が増加するように、少なくとも前記第１レンズ群と前記第２レンズ群とが移動する請求項１〜１０いずれか一項に記載のズームレンズ。
【請求項１２】
請求項１〜１１いずれか一項に記載のズームレンズを備えた光学機器。
【手続補正２】
【補正対象書類名】明細書
【補正対象項目名】０００６
【補正方法】変更
【補正の内容】
【０００６】
このようなズームレンズにおいて、第１レンズ群は、光軸に沿って物体側から順に、少なくとも１枚の負メニスカスレンズと、１枚の正レンズとを有することが好ましい。
【手続補正３】
【補正対象書類名】明細書
【補正対象項目名】０００７
【補正方法】変更
【補正の内容】
【０００７】
また、このようなズームレンズは、第２レンズ群に含まれるすべての負レンズの材質のｄ線に対する屈折率の平均値をＮ２navとし、全系の広角端状態における半画角をωwとし、全系の広角端状態における全長をＴＬwとし、全系の望遠端状態における焦点距離をｆtとしたとき、次式
０．４７  ＜  （Ｎ２nav−０．８）ｆt・ｔａｎωw／ＴＬw  ＜  ０．９５
の条件を満足することが好ましい。
【手続補正４】
【補正対象書類名】明細書
【補正対象項目名】０００８
【補正方法】変更
【補正の内容】
【０００８】
また、このようなズームレンズは、望遠端状態における第１レンズ群の最も像側のレンズ面と第２レンズ群の最も物体側のレンズ面との光軸上における間隔をＬ１２tとし、全系の望遠端状態における焦点距離をｆtとし、第１レンズ群の焦点距離をｆ１としたとき、次式
０．３  ＜  ｆt×Ｌ１２t／｜ｆ１｜  ＜  ２．０
の条件を満足することが好ましい。
【手続補正５】
【補正対象書類名】明細書
【補正対象項目名】０００９
【補正方法】変更
【補正の内容】
【０００９】
また、このようなズームレンズは、第２レンズ群に含まれる負レンズの材質のｄ線に対する屈折率のうち、最も大きい屈折率をＮｎとし、第２レンズ群に含まれる正レンズの材質のｄ線に対する屈折率のうち、最も小さい屈折率をＮｐとしたとき、次式
０．３６  ＜  Ｎｎ−Ｎｐ  ＜  ０．８０
の条件を満足することが好ましい。
【手続補正６】
【補正対象書類名】明細書
【補正対象項目名】００１０
【補正方法】変更
【補正の内容】
【００１０】
また、このようなズームレンズは、第２レンズ群に含まれる負レンズの材質のｄ線に対する屈折率のうち、最も大きい屈折率をＮｎとし、第２レンズ群に含まれる負レンズの材質のｄ線に対する屈折率のうち、最も大きい屈折率を有するレンズの材質のアッベ数をνｎとしたとき、次式
３．０  ＜  Ｎｎ＋０．０５×νｎ
の条件を満足することが好ましい。
【手続補正７】
【補正対象書類名】明細書
【補正対象項目名】００１１
【補正方法】変更
【補正の内容】
【００１１】
また、このようなズームレンズにおいて、第２レンズ群は、Ｆナンバー決定部材と、当該Ｆナンバー決定部材より物体側に、少なくとも１枚の正レンズとを有することが好ましい。
【手続補正８】
【補正対象書類名】明細書
【補正対象項目名】００１２
【補正方法】変更
【補正の内容】
【００１２】
また、このようなズームレンズにおいて、第２レンズ群は、光軸に沿って物体側から順に、２枚の正レンズと、１枚の負レンズとを有することが好ましい。
【手続補正９】
【補正対象書類名】明細書
【補正対象項目名】００１３
【補正方法】変更
【補正の内容】
【００１３】
また、このようなズームレンズにおいて、第１レンズ群は、光軸に沿って物体側から順に、少なくとも１枚の負メニスカスレンズと、１枚の正レンズとを有し、第１レンズ群を構成する負メニスカスレンズは、この第１レンズ群の最も物体側に配置されていることが好ましい。
【手続補正１０】
【補正対象書類名】明細書
【補正対象項目名】００１４
【補正方法】変更
【補正の内容】
【００１４】
このとき、第１レンズ群を構成する負メニスカスレンズのレンズ面のうち、少なくとも像側のレンズ面は非球面形状に形成されていることが好ましい。